(57)【特許請求の範囲】
【請求項１】
薄い流体フィルムの放射測定用の装置であって、
少なくとも一つのラジエーター（２）を格納するハウジング（１）と、
放射線を計測される前記流体フィルムに導き、放射線ビームを平行になるように制御する放射線チューブと、
反射された前記放射線を前記ハウジング（１）内の１又はそれ以上の検知器（５）に導く、非結像のリフレクター（４）と、
を有することを特徴とする装置。
【請求項２】
前記ラジエーターは、赤外線ラジーエーター（２）である請求項１に記載の装置。
【請求項３】
前記放射線ガイドは、前記赤外線ラジエーター（２）の直下に配置される請求項２に記載の装置。
【請求項４】
前記ラジエーターは光ファイバーケーブルであり、前記光ファイバーケーブルは前記放射線ガイド内部において支持される請求項１に記載の装置。
【請求項５】
前記リフレクター（４）は、楕円体の一部の形状を有する請求項１に記載の装置。
【請求項６】
前記リフレクターは、直線状（ストレート）の断面形状を有する２つの対向する側面と、楕円の一部を断面形状を有する２つの対向する表面を有する請求項１に記載の装置。
【請求項７】
前記ハウジングは、シリンダ状の外形を有する請求項１に記載の装置。
【請求項８】
前記ハウジングは、矩形の外形を有する請求項１に記載の装置。
【請求項９】
前記装置の異なる部分を制御し、測定を評価し、信号を増幅するための電子機器が前記ハウジング内に配置されている請求項１乃至８のいずれかに記載の装置。
【請求項１０】
前記装置の異なる部分を制御し、測定を評価し、信号を増幅するための電子機器が前記ハウジング外に配置されている請求項１乃至８のいずれかに記載の装置。
【請求項１１】
少なくとも２つの検知器（５）を有し、少なくとも１つが参照検知器である請求項１に記載の装置。
【発明の詳細な説明】
【技術分野】
【０００１】
本発明は、薄い流体フィルムの放射定量のための装置に関する。
【０００２】
本発明の装置は、例えば、ＷＯ／０２／４２０７７に記載された測定原理を使用することができる。
【背景技術】
【０００３】
異なる基板は、異なる特定の赤外線放射の帯域を吸収することが知られている。そこで、赤外線放射を基板の薄いフィルムに導くことによって、そのフィルムの厚さを測定することができる。放射分析によって、さらに、その基板の成分を測定することができ、継続的にモニタリングすることによって、その比率の変化を確認することができる。放射分析は、放射線のエネルギー又は吸収の変化に基づいており、この場合、放射線は赤外線の領域内の波長を有する。
【発明の概要】
【発明が解決しようとする課題】
【０００４】
多くの用途において、流体フィルムの厚さとその流体フィルムの異なる成分の量を制御可能であることは重要である。この制御は、望ましい効果を最大化し、使用される流体の量を減らし、これによりコストを削減するために使用される。多くの場合、安全のために、必要以上の量の流体を使用することが通常である。流体の実際量とその成分を制御及びモニタリングすることは、そのような余分な量を減少させることになる。
【課題を解決するための手段】
【０００５】
本発明の装置は、赤外線領域内の波長を有する放射線の吸収を使用して、流体フィルムを制御しモニターするようにデザインされている。これは、測定対象の流体の主たる帯域あるいは他の帯域の吸収の使用、及び、放射線が薄い流体フィルムを通貨するときのエネルギーの変化の使用によってなされる。
【０００６】
本発明の装置は、いかなる薄い流体フィルムの測定及び制御にも使用できる。異なる用途は以下のものを含むが、以下のものに限定されない。印刷工程で使用される印刷用インク及び湿し水、シートメタルのプレスに頻繁に使用されるオイルフィルム、紙あるいは金属へのコーティング、半導体産業内における基板上の写真フィルム。
【０００７】
本発明の一つの目的は、比較的コンパクトな装置を提供し、これにより、異なる環境に容易に設置できるようにすることである。多くの状況において、モジュールシステムの一部として使用できるのであれば、利点となる。
【０００８】
本発明によれば、薄い流体フィルムの放射分析用の装置が提供される。その装置は放射手段を含むハウジングと、放射線ガイドと、反射装置及び一つ以上の検知器を有する。
【０００９】
本発明のさらなる目的と利点は、異なる実施形態の以下の説明を読むことにより、当業者に明らかである。
【図面の簡単な説明】
【００１０】
本発明は、例及び添付図面の参照によって、より詳細に説明される。
【図１】本発明の一実施形態による装置の平面図である。
【図２】図１の装置のＡーＡ線断面図である。
【図３】代替的な実施形態の図２に対応する断面図である。
【発明を実施するための形態】
【００１１】
本発明の装置は、概してハウジング１を有する。ハウジング１の内側には、少なくとも１つのラジエーター２、放射線をモニターされるべき薄い流体フィルムの方向へ導く放射線ガイド３,７、反射された放射線をハウジング１内の１以上の検知器５に導くリフレクター４がある。
【００１２】
異なる図面には、対応する部分が、概して同一の一般構造を有する限り、同一の参照符号が付されている。
【００１３】
図１及び２に示されるハウジング１は、概して、シリンダ状の外形を有する。そのハウジングの中心上部には、赤外線ラジエーター２が配置されている。赤外線ラジエーター２は、ワイドバンドラジエーターである。赤外線ラジエーター２は、固定周波数に調整されており、放射線は通常は振動させられる。赤外線ラジエーター２の効力は、相応の測定信号を得るために十分な程度に高い必要がある。
【００１４】
また、スモールバンドラジエーターを備えることも可能である。スモールバンドラジエーターは、放射エネルギーの高い流束を与えることができ、また、ワイドバンドラジエーターよりもエネルギーを節約できる。振動周波数を上げることが可能であり、検知器の感度を上げることができる。
【００１５】
赤外線ラジエーター２は、放射線ガイド内、この場合、放射線チューブ３内に放射線を下方に放射する。放射線チューブ３は、略シリンダ状の形状を有する。放射線チューブ３によって、放射線ビームは、放射線チューブ３を離れるときに並行になるように制御される。並行でない放射ビームは、放射線チューブ３の内壁から反射しないようになっており、消滅させられる。放射線チューブの内壁は、反射しないように製造あるいは処理されている。赤外線ラジエーター２の放射線は、放射線チューブ３によって、その上を流体フィルムが通過し、測定が行なわれる流体フィルムが存在する表面に導かれる。通常、本発明の装置は活動中の生産ラインに配置され、このため、流体フィルムの制御及びモニタリングは稼働中の機械においてなされる。流体フィルムを受ける表面は、装置が理想的な態様で機能するように、所定の反射率を有さなければならない。もしも、その反射率が低く過ぎる場合には、流体フィルムの通過において、信号を検知するために問題がある。そのような場合には、流体フィルムは除去され、十分な反射率を付与する表面に導かれる。
【００１６】
放射線は、散乱する態様でその表面から反射され、リフレクター４によって１以上の検知器５に導かれる。リフレクター４は、非結像光学系のタイプである。リフレクター４の表面は楕円体の一部の形状を有する。このため、そのリフレクターの断面を見ると、楕円の一部の形状の側面を有する。
【００１７】
実際には、各検知器５は、ある場合には、複数の小さな検知器の集合体によって形成されていてもよい。ここで使用される”検知器”という用語の記載を容易にするため、その用語は、単一の検知器と複数の検知器の集合体で１つのユニットとして機能するものの双方を含むものを意図する。
【００１８】
各検知器５はフィルター６を有する。検知器５は、いわゆるワイドバンドデテクターであり、バンドパスフィルター６は、それらの検知器の前に配置される。通常、一つの検知器５は、流体フィルムに吸収される波長の放射線を通過させる一つのフィルター６を有し、もう一つの検知器５（参照検知器）は、流体フィルムの吸収帯域に属さない波長を通過させるフィルター６を有する。それら複数の検知器５の信号の検知レベルの関係は、流体フィルムの厚さを反映する。参照検知器によって、例えば、流体フィルムあるいは流体フィルムが通過する表面の物性の入れ替え、流体フィルムへの距離及び可能な背景放射を補償することができる。本装置は、示されるように、軸方向に対称であり、このため、複数の検知器５は、中心線の周りに均一に配置される。複数の検知器５は、リフレクター４によって形成される楕円体の一部であり、最も厚い部分に配置される。放射線の流れは、その位置において比較的均一である。複数のフィルター６を変更することによって、本装置は異なる測定工程に適用され、ここにおいて、フィルター６は、分析される流体フィルムに応じて選択される。
【００１９】
費用節約のためと、条件が比較的安定している場合には、一つの単一の検知器５を使用するだけで十分である。この場合、参照検知器は存在しない。
【００２０】
図２の実施形態と図３の実施形態の唯一の相違は、図３の実施形態の放射線ガイドが放射線コーン７であることである、放射線コーン７を使用することによって、流体フィルムに当る放射線はより集中する。
【００２１】
代替的な実施形態において、本装置は、矩形の外形を有し、通常は２つの検知器が直列に、赤外線ラジエーターに対して互いに反対側に配置される。この場合、リフレクターは、楕円の一部の断面形状を有する２つの向かいあった表面と、直線状（ストレート）の断面形状を有する２つの向かいあった表面を有する。矩形の外形を使用することにより、本発明の装置がモジュール式の構造を有することが比較的容易になる。
【００２２】
軸方向に対照的な装置は、どのような適切な数の検知器でも有することができる。矩形の外形を有する装置は、通常は検知器を２つだけ有する。ある場合において、矩形の外形を有する装置は、２つより多くの検知器を有し、それらの検知器は必ずしも直列に配置されない。複数の検知器を使用することによって、例えば、流体フィルムの異なる部分の濃度を測定することが可能になる。
【００２３】
一つの実施形態において、本装置と流体フィルムとの間にガラス窓が存在する。その窓は上記波長に関して透明である。また、いわゆるエアナイフがあってもよく、それは、計測工程から、粒子やしぶきを運び去る。これにより、考えられるガラス窓及びエアナイフの双方は、本装置を厳しい環境において保護する。
【００２４】
通常、異なる部分を制御し、測定を評価し、あるいは信号を増幅する電子機器が本装置のハウジング１内に配置される。しかし、当業者は、これらの部品がそのハウジングの外側に配置されてもよいことを認識し、これらの部品との連絡は有線又は無線を介して行なわれることを認識する。
【００２５】
さらなる代替的な実施形態において、例えば、流体フィルムに向かうレーザー光を導くために光ファイバーが使用される。ここにおいて、光ファイバーケーブルは放射線ガイドに支持される。放射線ガイドの上部に光ファイバーケーブルを配置することによって、光ファイバーケーブルから出る平行でない放射線ビームは、放射線ガイドの内壁において反射されない。
【図１】
0005544643.tif 000002
【図２】
0005544643.tif 000003
【図３】
0005544643.tif 000004